(57)【要約】【課題】  バーコードスキャナー付き電子レンジにおいて、バーコードスキャナーの装着構造を改善して使い勝手を向上させる。【解決手段】  コントロールパネルと、該コントロールパネル内に設けられるスキャナーガイドと、該スキャナーガイドに対して挿入及び引出可能に設けられるスキャナーと、スキャナーをスキャナーガイド内側に引き付けたりスキャナーガイドから押し出す駆動部と、を備え、バーコードスキャナーが挿入及び引出状態でバーコードを読み取るようにする。【選択図】図１
2006064362.tif 000002
【特許請求の範囲】
【請求項１】
本体と、
コントロールパネルと、
前記本体に着脱自在に設置されてバーコードを読み取るバーコードスキャナーと、
を備えることを特徴とする電子レンジ。
【請求項２】
前記バーコードスキャナーは、前記コントロールパネルに設置されることを特徴とする請求項１に記載のバーコードスキャナー付き電子レンジ。
【請求項３】
前記バーコードスキャナーを案内するスキャナーガイドをさらに備えることを特徴とする請求項２に記載のバーコードスキャナー付き電子レンジ。
【請求項４】
前記コントロールパネルに対してバーコードスキャナーが挿入及び引出されるように、該バーコードスキャナーを所定距離進退させる駆動部をさらに備えることを特徴とする請求項２に記載のバーコードスキャナー付き電子レンジ。
【請求項５】
前記駆動部が、
駆動軸を有する、正逆回転可能なモーターと、
前記駆動軸により回転する駆動ギアと、を備え、
前記バーコードスキャナーは、前記駆動ギアに噛み合うギア部材を有することを特徴とする請求項４に記載のバーコードスキャナー付き電子レンジ。
【請求項６】
前記ギア部材が、前記バーコードスキャナーの一端に連結され、前記バーコードスキャナーを前記本体と連結させる電線カバーであることを特徴とする請求項５に記載のバーコードスキャナー付き電子レンジ。
【請求項７】
前記バーコードスキャナーは、発光素子から照射される光の角度を可変させるように構成されたことを特徴とする請求項１に記載のバーコードスキャナー付き電子レンジ。
【請求項８】
前記バーコードスキャナーが、発光素子及び受光素子が設置される胴体部と、前記胴体部の前端に結合されるヘッド部とを備え、
前記ヘッド部は前記胴体部に傾斜して結合され、該ヘッド部を回転させることによって光の走査角度が変わるように前記ヘッド部の角度が変更されることを特徴とする請求項７に記載のバーコードスキャナー付き電子レンジ。
【請求項９】
前記バーコードスキャナーの内側には、前記ヘッド部の回転に従って角度が変わって前記光の走査角度を変更させる反射鏡が備えられたことを特徴とする請求項８に記載のバーコードスキャナー付き電子レンジ。
【請求項１０】
前記反射鏡が、前記ヘッド部の内側にヒンジ結合することを特徴とする請求項９に記載のバーコードスキャナー付き電子レンジ。
【請求項１１】
コントロールパネルと、
該コントロールパネル内に設けられるスキャナーガイドと、
該スキャナーガイドに対して挿入及び引出可能に設けられるスキャナーと、
前記スキャナーガイド内側に／から前記スキャナーを引き付けたり押し出す駆動部と、を備え、
前記バーコードスキャナーが、前記スキャナーガイドに／から挿入されたり引出された状態でバーコードを読み取ることを特徴とする電子レンジ。
【請求項１２】
前記スキャナーガイドが、前記コントロールパネルの後方に延設され、後端部には前記バーコードスキャナーの後退を制限する止め突起を有することを特徴とする請求項１１に記載の電子レンジ。
【請求項１３】
前記駆動部が、
駆動軸を有する、正逆回転可能なモーターと、
該モーターに結合され、前記駆動軸により回転する駆動ギアと、を備えることを特徴とする請求項１１に記載の電子レンジ。
【請求項１４】
前記スキャナーは、後面から延在し、外周面にネジ山が形成されて前記駆動ギアーと噛み合う電線カバーを備えることを特徴とする請求項１３に記載の電子レンジ。
【請求項１５】
前記駆動ギアが第１方向に回転すると、前記電線カバーが前方に進みながら前記スキャナーを前記スキャナーガイドから押し出し、前記駆動ギアが第２方向に回転すると、前記電線カバーが後方に移動しながら前記スキャナーを前記スキャナーガイド内側に引き付けることを特徴とする請求項１４に記載の電子レンジ。
【請求項１６】
胴体部と、
該胴体部に設置され、バーコードを読み取るように光を発生させる発光素子と、
前記胴体部内に設けられ、前記バーコードから反射される光を受けて電気的信号に変換する受光素子と、
前記胴体部の一端に結合され、照射光及び反射光が通過する窓がその一端に設けられたヘッド部と、を備え
前記ヘッド部は、前記胴体部に傾斜して接触し、前記胴体部の軸方向に対して所定の角度を有することを特徴とするスキャナー。
【請求項１７】
前記所定の角度は、前記胴体部の軸方向に対して約４５°であることを特徴とする請求項１６に記載のスキャナー。
【請求項１８】
前記ヘッド部は、前記胴体部との連結位置にスライド自在に設置され、その中心軸に対して回転することを特徴とする請求項１６に記載のスキャナー。
【請求項１９】
前記ヘッド部は、前記ヘッド部の回転に従って前記ヘッド部の内面となす角度が変わる反射鏡を有することを特徴とする請求項１８に記載のスキャナー。
【請求項２０】
前記反射鏡の一端が前記ヘッド部の内面に枢設され、この枢設部には前記反射鏡をヘッド部の内壁側に密着させるように反射鏡に復元力を加えるばねが設けられることを特徴とする請求項１９に記載のスキャナー。
【発明の詳細な説明】
【技術分野】
【０００１】
本発明は、バーコードスキャナー付き電子レンジに関し、より詳細には、バーコードスキャナーの装着構造に関する。
【背景技術】
【０００２】
電子レンジは、マイクロ波を用いて食品を加熱する調理機具であって、２４５０ＭＨｚの高い周波数の電波を用いる。従来の電子レンジは、使用者が調理しようとする食品の種類と調理方法に基づく概略的な調理過程を選択するように選択ボタンが備えられているが、この選択ボタンでは、各食品に基づく概略的な調理過程しか選択できず、それぞれの食品に正確に合う調理過程を選択し調理することは不可能であった。
【０００３】
このような欠点を補うべく、最近では、特許文献１に開示された如く、食品に付いているバーコードを読み取って食品の種類を判別し、判別された食品の種類に基づいて最適の調理時間を自動で設定して調理する電子レンジが開発されてきている。
【０００４】
特許文献１の電子レンジは、調理室及び高周波発振器のような通常の電子レンジを構成する部品の他に、食品に付いているバーコードを読み取るためのバーコード読取器(あるいは、バーコードスキャナー)を備えている。また、このバーコード読取器は、調理室内部に固設されるか、あるいは、電線を介して電子レンジ本体と連結されるように設けられている。
【特許文献１】大韓民国公開特許公報第１９９９-００７４６０７号
【発明の開示】
【発明が解決しようとする課題】
【０００５】
しかしながら、バーコート読取器が調理室内部に固設されていると、食品に付いているバーコードが常にバーコート読取器に向かうようにしなければならず、使い勝手が悪く、また、バーコート読取器が電線を介して電子レンジの本体と連結されている場合には、本体から落ちて破損する恐れがあった。
【０００６】
本発明は、上記の問題点を解決するためのもので、その目的は、使い勝手が良く、本体から落ちて破損するのを防ぐためにバーコードスキャナーの装着構造を改善した電子レンジを提供することにある。
【課題を解決するための手段】
【０００７】
上記目的を達成するために、本発明の一側面によれば、本体と、コントロールパネルと、前記本体に着脱自在に設置されてバーコードを読み取るバーコードスキャナーと、を備えることを特徴とする、バーコードスキャナー付き電子レンジが提供される。
【０００８】
前記バーコードスキャナーは、前記コントロールパネルに設置されることができる。
【０００９】
また、前記電子レンジは、前記バーコードスキャナーを案内するスキャナーガイドをさらに備えることが好ましい。
【００１０】
また、前記電子レンジは、前記コントロールパネルに対してバーコードスキャナーが挿入及び引出されるように、該バーコードスキャナーを所定距離進退させる駆動部をさらに備えることを特徴とする。
【００１１】
また、前記駆動部は、正逆回転可能なモーターと、該モーターの駆動軸により回転する駆動ギアと、を備え、前記バーコードスキャナーは、前記駆動ギアに噛み合うギア部材を有することを特徴とする。
【００１２】
前記ギア部材は、前記バーコードスキャナーの一端に連結され、前記バーコードスキャナーを前記本体と連結させる電線カバーであることを特徴とする。
【００１３】
前記バーコードスキャナーは、発光素子から照射される光の角度を可変させるように構成されたことを特徴とする。
【００１４】
前記バーコードスキャナーは、発光素子及び受光素子が設置される胴体部と、前記胴体部の前端に結合されるヘッド部とを備え、前記ヘッド部は前記胴体部に傾斜して結合され、該ヘッド部を回転させることによって光の走査角度が変わるように前記ヘッド部の角度が変更されることを特徴とする。
【００１５】
また、前記バーコードスキャナーの内側には、前記ヘッド部の回転に従って角度が変わって前記光の走査角度を変更させる反射鏡が備えられることを特徴とする。
【００１６】
前記反射鏡が、前記ヘッド部の内側にヒンジ結合することを特徴とする。
【００１７】
また、本発明の他の側面によれば、コントロールパネルと、該コントロールパネル内に設けられるスキャナーガイドと、該スキャナーガイドに対して挿入及び引出可能に設けられるスキャナーと、前記スキャナーガイドに／から前記スキャナーを引き付けたり押し出す駆動部と、を備え、前記バーコードスキャナーが、前記スキャナーガイドに／から挿入されたり引出された状態でバーコードを読み取ることを特徴とする電子レンジが提供される。
【００１８】
また、本発明のさらに他の側面によれば、胴体部と、該胴体部に設置され、バーコードを読み取るように光を発生させる発光素子と、前記胴体部に設けられ、前記バーコードから反射される光を受けて電気的信号に変換する受光素子と、前記胴体部の一端に結合され、照射光及び反射光が通過する窓がその一端に設けられたヘッド部と、を備え、前記ヘッド部は、前記胴体部に傾斜して接触し、前記胴体部の軸方向に対して所定の角度を有することを特徴とするスキャナーが提供される。
【発明の効果】
【００１９】
本発明によるバーコードスキャナー付き電子レンジは、バーコードスキャナーがコントロールパネルに着脱自在に設けられるため、使用者が必要に応じてバーコードスキャナーをコントロールパネルに固定したり引き出して使用することができる。
【００２０】
また、バーコードスキャナーから照射される光の方向を変えるようにヘッド部の角度が変更されるため、使い勝手がよくなる。
【発明を実施するための最良の形態】
【００２１】
以下、本発明のバーコードスキャナー付き電子レンジの好適な実施の形態を、添付の図面に基づいて詳細に説明する。
【００２２】
図１に示すように、本発明の一実施の形態によるバーコードスキャナー２０を備えた電子レンジは、外観を形成するハウジング１０と、ハウジング１０内に設けられて食品の調理が行われる調理室１１と、ハウジング１０の前面に一側がヒンジ結合されて調理室１１を開閉するドア１３と、ドア１３のそばに設けられ、電子レンジの作動のための命令が入力されるコントロールパネル１５と、を備える。
【００２３】
食品の調理状態を肉眼で観察できるように、ドア１３の中央には透視窓１４が設けられ、調理室１１内部には、食品が均一に調理されるように食品を回転させる回転トレー１２が備えられる。そして、コントロールパネル１５には、調理過程や調理時間などを表示する表示部１６と、電子レンジの作動のための命令を入力するスイッチ１７と、食品に付いているバーコードを読み取るバーコードスキャナー２０と、が備えられている。
【００２４】
バーコードスキャナー２０は、食品に付いているバーコードを読み取って食品の種類を判別し、この判別された食品の種類に基づいて適切な調理時間が設定されて調理されるようにするもので、その用途は、従来の電子レンジに用いられてきたバーコードスキャナーと同様である。たたじ、本発明に適用されるバーコードスキャナー２０は、コントロールパネル１５の中央に形成されたスキャナーガイド１８に挿入し固定された状態で使用することもでき、スキャナーガイド１８から引き出して手に取って使用することもできるということに特徴がある。
【００２５】
図２を参照すると、コントロールパネル１５の後方には、各種電装品を設置するための電装室３０が形成される。電装室３０には、食品を調理する熱源となる高周波を発振させるマグネトロン３１と、マグネトロン３１を駆動するための駆動回路を構成する高圧トランス(ＨＶＴ：High Voltage Transformer)３２、高圧コンデンサー３３及び高圧ダイオード３４とが配設される。ここで、高圧トランス３２(ＨＶＴ)に商用の交流電源(ＡＣ １１０Ｖまたは２２０Ｖ)が印加されて２０００Ｖ程度の高電圧が出力される。この出力電圧は、高圧コンデンサー３３と高圧ダイオード３４により４０００Ｖ程度に上がってからマグネトロン３１に与えられる。電装室３０の後方には外気を吸入して電装室３０内部の電装品を冷却させる冷却ファン３５が取り付けられる。そして、バーコードスキャナー２０が設置されるスキャナーガイド１８の後方にはバーコードスキャナー２０を自動で進退させる駆動部３６が配設される。バーコードスキャナー２０の進退駆動については、図３を参照して詳細に説明する。
【００２６】
図１乃至図３を参照すると、コントロールパネル１５の中央部に設けられるスキャナーガイド１８は、コントロールパネル１５の後方に長く延設され、その後端部にはバーコードスキャナー２０の後退を制限する止め突起１９が形成される。このように構成されるスキャナーガイド１８にバーコードスキャナー２０が着脱自在に設置される。
【００２７】
バーコードスキャナー２０の後面には、図示せぬ制御部及び電源との接続のための電線２６が連結され、この電線２６は、バーコードスキャナー２０の後面から一定長さ延在する電線カバー２７によって包まれている。この電線カバー２７は、バーコードスキャナー２０の後面にヒンジ結合され、外周面には所定のネジ山が刻まれている。電線カバー２７は、所定の強度を持つようにプラスチックや金属材質などで製造することが好ましい。
【００２８】
スキャナーガイド１８の後方に備えられた駆動部３６は、正逆回転可能なモーター３６ａと、このモーター３６ａの駆動軸に結合されて回転する駆動ギア３６ｂとからなる。この駆動部３６は、バーコードスキャナー２０の引出及び挿入を容易にするためのもので、次のように動作する。バーコードスキャナー２０の引出に当たって、使用者がコントロールパネル１５のスイッチ１７を操作すると、この操作信号が制御部(図示せず)に伝達され、制御部ではモーター３６ａを駆動して駆動ギア３６ｂが反時計回り方向に回転するようにする。駆動ギア３６ｂが回転すると、これに噛み合っている電線カバー２７が前方に進みながらバーコードスキャナー２０を押し出すことになる。これにより、バーコードスキャナー２０が所定距離前方に進むと、モーター３６ａの回転は停止し、使用者はコントロールパネル１５の前方へ露出されたバーコードスキャナー２０の一部を把持して取り出せば良い。一方、使用者がバーコードスキャナー２０をスキャナーガイド１８内に挿入したい場合、使用者はバーコードスキャナー２０を把持した状態でスキャナーガイド１８内に少し押し込む。電線カバー２７と駆動ギア３６ｂとが噛み合うと、モーター３６ａが駆動され、駆動ギア３６ｂは時計回り方向に回転してバーコードスキャナー２０をスキャナーガイド１８の内側に引き付ける。バーコードスキャナー２０の挿入時にモーター３６ａの駆動を制御するために、コントロールパネル１５に別途の操作スイッチを備えたり、あるいは、バーコードスキャナー２０の挿入位置を感知するセンサーを備えて、バーコードスキャナー２０の一部が所定の位置に挿入されるようにすると、バーコードスキャナー２０の残り部分は、モーター３６ａの駆動力で挿入される。
【００２９】
次に、図３及び図４を参照してバーコードスキャナー２０の構造について説明する。
【００３０】
このバーコードスキャナー２０の基本的な構造は、通常のバーコードスキャナー２０のそれと略同様である。すなわち、バーコードスキャナー２０の内側にはバーコードを読み取るための光を発生させる発光素子２８、バーコードから反射した光を電気的信号に変える受光素子２９などが備えられている。
【００３１】
一方、本実施の形態による電子レンジのバーコードスキャナー２０は、発光素子２８から照射される光の方向を、バーコードスキャナー２０の長手方向だけでなく、長手方向に垂直な方向にも変換しうるようにした点にその特徴がある。これを達成するために、バーコードスキャナー２０は、通常の発光素子２８、受光素子２９などが設置される胴体部２１と、胴体部２１の前端に設けられるヘッド部２２と、を備える。また、光は、ヘッド部２２の前端に設けられる透視窓２３から入出射する。ヘッド部２２は、胴体部２１の軸方向に対して所定の角度に傾斜して接触する。この傾斜角度は、胴体部２１の軸方向に対し略４５°とすることが好ましい。
【００３２】
また、ヘッド部２２は、胴体部２１との連結点でスライディング自在に設置され、その中心軸に対して回転させると、図４に示すように回転する。このとき、入出射する光がヘッド部２２の回転方向に沿って進むようにするために、ヘッド部２２の内側にはヘッド部２２の回転に従ってヘッド部２２の内面となす角度が変わる反射鏡２４が設けられる。反射鏡２４は、一端がヘッド部２２の内面にヒンジ結合され、このヒンジ結合部には反射鏡２４をヘッド部２２及び胴体部２１の内壁側に密着させるように復元力を加えるばね２５が設けられる。
【図面の簡単な説明】
【００３３】
【図１】本発明の好ましい一実施の形態によるバーコードスキャナー付き電子レンジを示す斜視図である。
【図２】図１に示す電子レンジの内部構造を示す斜視図である。
【図３】図１に示す電子レンジのバーコードスキャナー装着構造を示す側断面図である。
【図４】図１に示すバーコードスキャナーの構造を示す側断面図である。
【符号の説明】
【００３４】
１０  ハウジング
１１  調理室
１２  回転トレー
１３  ドア
１４  透視窓
１５  コントロールパネル
１６  表示部
１７  スイッチ
１８  スキャナーガイド
２０  バーコードスキャナー
【図１】
2006064362.tif 000003
【図２】
2006064362.tif 000004
【図３】
2006064362.tif 000005
【図４】
2006064362.tif 000006